(57)【要約】【課題】引起し装置のケースカバー上方にフックを設けて係合させた脱着構造では、機体の振動を受けてフック部の磨耗が進行して振動音が発生する。このような係合部に生じる騒音を引起しケース内に設けた既設の緩衝ゴムを活用し、騒音の防止をするとともに脱着構造を簡素化した引起し装置の提供である。【解決手段】引起し装置の前面に併設するケースカバーを脱着自在の取付け構造にした引起し装置において、引起しケース２の上部に架設した掛金３にフック６を係合させるとともに、ケースカバー５の上方を既設の緩衝ゴム７に接当させ、押出す方向に付勢してフック６部に生じる隙間を一方向に押圧し、振動音や磨耗を防止した引起し装置である。【選択図】      図１
2004350534.tif 000002
【特許請求の範囲】
【請求項１】
刈取部の前方で茎稈を起立させる引起し装置を複数列配置し、タイン先が接触する緩衝ゴムを引起しケースの上方に設け、該引起し装置の前面に併設するケースカバーを脱着自在の取付け構造にした引起し装置において、タイン付きチェン（１）を昇降自在に張設した引起しケース（２）の上部に掛金（３）を架設し、ケースカバー（５）に固着したフック（６）が前記掛金（３）に係合した装着状態で、引起しケース（２）内に設けた緩衝ゴム（７）に前記ケースカバー（５）の裏面側を接当させて一方向に付勢したことを特徴とするコンバインの引起し装置。
【請求項２】
掛金（３）に係合するフック（６）の直下に突起部材を併設し、緩衝ゴム（７）の取付ボス（３６）部に連なる外側面（１０）に前記突起部材を接当させたことを特徴とする請求項１に記載したコンバインの引起し装置。
【請求項３】
緩衝ゴム（７）の外側面（１０）に突出部（１１）を一体形成し、装着したケースカバー（５）の裏面側に前記突出部（１１）を接当させたことを特徴とする請求項１に記載したコンバインの引起し装置。
【発明の詳細な説明】
【０００１】
【発明の属する技術分野】
本発明は、刈取部の前方で茎稈を起立させる引起し装置を複数列配置し、前面にケースカバーを脱着自在に装着するとともに、フックが係合する前記ケースカバーの上方を弾着させたコンバインの引起し装置に関するものである。
【０００２】
【従来の技術】
従来、引起し装置の前面に装着するケースカバーを工具無しで脱着するために、上側に装着したフックにスプリングを介在させて付勢した揺動自在のフック機構にし、相互に係合する掛金に誘導し易くするとともに、下側を固着する構成にバネ材を用いて回動させる操作具にして引起しケースに挟着するものがある。又、ケース本体とカバー体とからなる引起しケースの上方側に一方のケースカバーを係合させるために、凹状溝を長手方向に開口する支持板を設け、プレートの先端に緩衝材を挟着して該支持板に差し込む係止構造にし、両ケースの下側を挟持具を用いて挟着したものがある。
【０００３】
【特許文献１】
特開平１０−２０１３３８号公報  （第２頁、第８図）
【特許文献２】
実開平０６−０７９２２２号公報  （第２頁、第７−８図）
【０００４】
【発明が解決しようとする課題】
引起し装置のケースカバー上方にフックを設けて係合させる脱着構造では、相手側の掛金が傾いたり位置狂いによる誤差を生じるために、該フックの切欠部に隙間を設けて脱着し易くしてあるが、機体の振動を受けて係合部分の磨耗が進行したり振動音が発生するようになる。このようなケースカバーのフック部から生じる騒音を引起しケースの上方に設けた緩衝ゴムを活用し、騒音の防止と構造の簡素化をするとともに、該ケースカバーに設けた緩衝材の離脱や損傷を防止した脱着構造の引起し装置を提供する。
【０００５】
【課題を解決するための手段】
上記の課題を解決するために、引起しケースの上方に設けた既設の緩衝ゴムを活用して、前面に併設したケースカバーのフック部に生じる係合隙間を一方向に付勢させ、騒音の発生を防止する該ケースカバーの弾着構造にしたものである。
【０００６】
引起し装置の前面に併設するケースカバーを脱着自在の取付け構造にした引起し装置において、タイン付きチェンを昇降自在に張設した引起しケースの上部に掛金を架設し、ケースカバーに固着したフックが前記掛金に係合した装着状態で、引起しケース内に設けた緩衝ゴムに前記ケースカバーの裏面側を接当させて一方向に付勢し、係合部に生じる隙間を片側に押圧して常時接触させる弾着構造にした。
【０００７】
掛金に係合するフックの直下に突起部材を併設し、緩衝ゴムの取付ボス部に連なる外側面に前記突起部材を接当させ、係合部に近接したリブの外側面から受ける付勢力がフックに直接作用する構成にした。
【０００８】
緩衝ゴムの外側面に突出部を一体形成し、装着したケースカバーの裏面側に該突出部を接当させ、ケースカバーの幅方向を均等に付勢する取付け構造にした。
【０００９】
【発明の実施の形態】
引起しケース２の上方にタイン４の先端が接触する緩衝ゴム７とケースカバー５のフック６が係合する掛金３を装着し、該ケースカバー５を脱着自在に取付けた構成において、機体の振動が係合部の隙間に伝達されて振動音を生じるようになり、これを防止する本発明は、該タイン４の先端が接触する既設の緩衝ゴム７を活用したケースカバー５の弾着構造にしたものであって、フック６の直下に設置された前記緩衝ゴム７にケースカバー５の裏面側を接当させたり、屈折可能の突出部１１を該緩衝ゴム７と一体成形して、係合部に接近した位置で内面を左右均等に接当させ、押出し方向に付勢するケースカバー５を併設した引起し装置の形態であり、詳細を以下の実施例で説明する。
【００１０】
【実施例】
本発明による引起しケースの前面に併設したケースカバーの脱着構造について実施例図を参照に説明すると、図７は刈取部の要部を断面したコンバインの側面図であって、全体構造の概要は一対のクローラ走行装置１５を備えた機台１６上の左側に脱穀部Ａを搭載し、進行方向に架設した扱胴の前方に複数列の引起し装置を並設した刈取部Ｂを装着し、前記機台１６から支持した油圧シリンダー１７の伸縮によって昇降させ、適正な刈高さ調節をしながら収穫作業を行い、前面に斜設した引起しケース２内にタイン付きチエン１を張設し、対向するタイン４が出没して作物を起立させ、刈取り全幅に横設した刈刃１８で切断して、後方に連設する掻込みベルト２０やスターホイル２１で株元を揚上搬送しながら上部搬送装置２２に穂部側を挟持させ、後方に連設して揺動運動をする縦搬送チェン２３に株元側を受継ぎ、扱深さ調節を行い前記脱穀部Ａのフィードチェン２４に適正な扱深さで収穫作物を供給する刈取装置の構成である。
【００１１】
このような刈取部Ｂの引起し装置を形成する引起しケース２にタイン付きチェン１を内装し、前面にケースカバー５を脱着自在に装着した取付け構造の概要は、該ケースカバー５の上方に固着したフック６を内側に設け、その切欠部を前記引起しケース２の上部に架設した掛金３に係合させる上側の取付け構造にしてあり、下側の装着を前記引起しケース２の裏面から固定ボルト２５を挿通させて、従動輪２６の上方に設置した固定ナット部２７に螺着して前記ケースカバー５の下側を装着する構成にしたものである。
【００１２】
図１はケースカバーのフック部を示す断面図であって、緩衝ゴムの配置を示す図２の正面図と図３の平面図を併用して、該ケースカバーを既設の緩衝ゴムに接当させた構成を説明すると、刈取り各部に動力を伝達する駆動系から分岐した引起し駆動軸２８を垂設し、引起し装置に入力する方向転換を駆動ケース３２内に設けた一対のベベルギヤ３０で行い、各引起しケース２の裏側から駆動スプロケット３１を回転させるように前記駆動ケース３２を装着し、タイン４が出没する引起し作用側が上昇する回転方向にしてあり、前記タイン４が上端で回転する際に起立して先端軌跡が大きくなり前記引起しケース２の内面に衝突する。これを防止するために、タイン軌跡を小さくして収納姿勢に誘導するようにした緩衝ゴム７が前記引起しケース２の上方に既設されている。
【００１３】
このような緩衝ゴム７を装着した引起しケース２は、上ケース板３３と対向する下ケース板３５を重ね合せてタイン付きチェン１を内装する構成にしてあって、ゴム体を膨出させた取付ボス３６を形成して締結ボルト３７を挿通し、前記引起しケース２の上方に緩衝ゴム７を装着してあり、その内周面をタイン４の先端が摺動しながら傾倒姿勢に変化して衝撃音を緩和させる内面形状にするとともに、前記取付ボス３６と掛金３が接近する上下配置の構成にしてある。
【００１４】
図５は、フック部を示す斜視図であって、図１の断面図と図３の平面図を併用してケースカバーの上方が接当する緩衝ゴムの形状と配置について説明すると、ケースカバー５に固着したフック６の直下に突起部材である当て板８を延設し、上ケース３３に開口する連通窓４２に臨ませて緩衝ゴム７に接当させてあり、その接当位置は該緩衝ゴム７よりも上部に架設した掛金３に対し、係合するフック６に近接して前記当て板８が設けられ、該緩衝ゴム７を固着する取付ボス３６部に連なるリブ４０の外側面１０に接当させたもので、隙間を生じる係合部の直下でケースカバー５を一方向に付勢する弾着構造にしたものである。
【００１５】
下ケース３５の上部に架設した掛金３に前記フック６を係合した装着状態において、該掛金３に緩衝ゴム７が最も接近する取付ボス３６部のリブ４０に突起部材である当て板８が接当して一部分が陥没するようになり、その反力が係合部に直接作用して前記ケースカバー５を押出す方向に付勢するので、弾着力が高まりフック６部の振動や騒音の発生を効果的に防止できる弾着構造になった。
【００１６】
図４は、緩衝ゴムに突出部を一体形成した実施例の平面図であって、図２の正面図を併用して突出部による弾着構造を説明すると、緩衝ゴム７の外側面１０に突出部１１を複数形設し、装着したケースカバー５の裏面側に前記突出部１１の先端を接当させケースカバー５を外方向に付勢してあり、引起しケース２を形成する上ケース板３３に開放口４３を左右に穿孔し、先端部の屈折性を高めるために山形状にした前記突出部１１を該開放口４３から突出させ、掛金３に係合する両方のフック６部と対設するように該突出部１１を左右に配置し、前記ケースカバー５の上方を均等に押上げるように付勢した取付け構造である。
【００１７】
図６は、下側の取付け構造を示す断面図であって、タイン付きチェン１が巻回する従動輪４５を支軸４６で引起しケース２に回転自在に装着し、前面に併設するケースカバー５に嵌着孔４７を設けて前記支軸４６の頭部に嵌入させて位置決めを行うとともに、その上側に固定ボルト２５を配置して下ケース板３５の裏面側から挿通し、上ケース板３３を貫通したナット部２７に前記固定ボルト２５のネジ先を臨ませ、ケースカバー５の下側を装着する構成にしたものである。
【００１８】
図８は、フック部に係合する掛金を緩衝ゴムに直接装着した別途の実施例図であって、緩衝ゴム７の取付ボス３６の近傍に屈折自在の支柱１２を立設し、掛金３を架設してケースカバー５の上方に固着したフック６が係合する構成にし、実線で図示する装着状態で前記掛金３の位置を支柱１２とともに前側に変位させ、該ケースカバー５の上方を上ケース板３３側に付勢させた弾着構造にした別途の実施例である。
【００１９】
鎖線で示すフック６の係合状態はケースカバー５を装着する初期動作であって、直立する支柱１２に架設した掛金３に該フック６を引掛け、実線で図示した装着位置に変位する過程で内方向に延設した突起部材の当て板８が緩衝ゴム７のリブ４０に先ず接触し、次いで前記支柱１２が屈折を開始すると同時に前記リブ４０の外側面１０が圧縮され、ケースカバー５の上方を上ケース板３３側に引寄せるように付勢した取付け構造である。尚、当て板８が接当する部材が緩衝ゴム７であるが、引起しケース２の枠体や剛体部分に接当させても支柱１２の傾倒が追随して同様の効果が発揮できる。
【００２０】
【発明の効果】
タイン先が接触する既設の緩衝ゴムを活用したケースカバーの取付け構造であって、柔軟性の高いゴム体のリブ面や突出部を該緩衝ゴムと一体成形して、引起し装置の前面に併設するケースカバーを一方向に付勢した弾着構造の引起し装置にしたので、以下に掲げるような効果を発揮するものである。
【００２１】
引起しケースの上部に掛金を架設し、ケースカバーに固着したフックが前記掛金に係合する装着状態で、引起しケース内に設けた緩衝ゴムに前記ケースカバーの裏面側を接当させ、係合部に生じる隙間を片側に押圧して常時接触させる弾着構造にしたので、機体の振動によってフックの係合部が共振しなくなり、騒音の発生が防止され磨耗の進行が抑制できた。
【００２２】
掛金に係合するフックの直下に突起部材を併設し、緩衝ゴムの取付ボス部に連なる外側面に前記突起部材を接当させる構成にしたので、係合部に近接したリブの外側面から受ける付勢力がフックに直接作用するようになり、ケースカバーの弾着力が一層高まってフック部の振動や騒音の発生を効果的に防止できた。
【００２３】
緩衝ゴムの外側面に突出部を一体形成し、装着したケースカバーの裏面側に前記突出部を接当させ、ケースカバーを直接押圧する取付け構造にしたので、部品の構成が単純になり、しかも、前記ケースカバーの幅方向を均等に付勢するので装着後の傾きが防止できた。
【図面の簡単な説明】
【図１】ケースカバーのフック部を示す断面図である。
【図２】緩衝ゴムの配置を示す正面図である。
【図３】緩衝ゴムの配置を示す平面図である。
【図４】緩衝ゴムに突出部を一体形成した実施例の平面図である。
【図５】フック部を示す斜視図である。
【図６】下側の取付け構造を示す断面図である。
【図７】刈取部の要部を断面したコンバインの側面図である。
【図８】掛金を緩衝ゴムに装着した別途の実施例図である。
【符号の説明】
Ａ・・脱穀部          Ｂ・・刈取部
１・・タイン付きチェン２・・引起しケース      ３・・掛金
４・・タイン          ５・・ケースカバー      ６・・フック
７・・緩衝ゴム        ８・・当て板          １０・・外側面
１１・・突出部        １２・・支柱            １５・・クローラ走行装置
１８・・刈刃          ２５・・固定ボルト      ２６・・従動輪
２７・・固定ナット部  ３３・・上ケース板      ３５・・下ケース板
３６・・取付ボス      ３７・・締結ボルト      ４０・・リブ
４２・・連通窓        ４３・・開放口          ４６・・支軸
４７・・嵌着孔
【図１】
2004350534.tif 000003
【図２】
2004350534.tif 000004
【図３】
2004350534.tif 000005
【図４】
2004350534.tif 000006
【図５】
2004350534.tif 000007
【図６】
2004350534.tif 000008
【図７】
2004350534.tif 000009
【図８】
2004350534.tif 000010